(57)【要約】【課題】映像情報を表示可能なテレビジョン受像機や表示装置において、映像の表示に適した範囲で、画像破綻することなく任意の色を調整可能とする表示色調整方法ならびにその調整方法が適用される映像表示装置を提供する。【解決手段】この発明の映像表示装置１１は、定義された色が変更される色を、逐次表示するカラーマップ表示１１５と、カラーマップ表示上に、定義された色が変更された後の色を表示するカラーカーソル１１７と、カラーカーソルにより表示された変更後の色をさらに変更する際に、カラーカーソルが移動される方向と変更後の色がさらに変化される際の色の変化とを関連付けてカラーマップの近傍に表示する調整バー表示１２１，１２３とを表示可能な出力を映像表示部または外部出力端に出力する映像処理部を有する。カラーマップ表示は、制御部により、映像として表現可能な調整範囲な色の範囲内で変更可能な色の範囲のみを表示する。【選択図】  図３
2007067977.tif 000002
【特許請求の範囲】
【請求項１】
任意の第１の色を調整対象として定義する定義部と、
前記定義部により定義した前記第１の色を変更可能な前記第１の色の周辺の色である周辺色を有するカラーマップを生成するカラーマップ生成表示部と、
前記カラーマップ上に存在する、前記定義部により定義された第１の色が変更される第２の色を示すポインターを表示するポインター表示部と、
前記ポインターを任意の方向に移動させるための指示部と、
前記カラーマップ生成部により生成されたカラーマップおよび前記ポインター生成、表示可能な映像信号を出力する第１の映像処理部と、
入力された映像のうちの、前記定義部により定義された第１の色および第１の色の周辺色の少なくとも一方を、調整された後の第２の色および第２の色の周辺色の少なくとも一方に近づけて出力する第２の映像処理部と、
を有することを特長とする映像処理装置。
【請求項２】
前記第１の映像処理部は、色あい、色の濃さ、明るさの少なくとも１つを調整可能であることを特徴とする請求項１記載の映像処理装置。
【請求項３】
前記ポインター表示部により表示されるポインターが移動される調整値を設定する調整項目を表示するスケールが表示されるスケール表示部をさらに有することを特徴とする請求項１記載の映像処理装置。
【請求項４】
前記ポインター表示部により表示されるポインターが移動されることにより変化する対象となる調整項目の変化の程度を前記カラーカーソルの移動に関連付けて表示する調整バーが表示される調整バー表示部をさらに有することを特徴とする請求項１記載の映像処理装置。
【請求項５】
前記ポインターが前記表示部上を移動されることにより前記定義部により定義された色が変化される際に、前記ポインターが移動された量に対応して、その変化を＋または−で関連付けて表示するスケール表示部をさらに有することを特徴とする請求項１ないし４のいずれかに記載の映像処理装置。
【請求項６】
調整対象として特定された色を、第１の表示部に表示し、
第１の表示部に表示された色が、映像として表現可能な調整範囲な色の範囲内において周辺色としてどの位置に位置されるかを第２の表示部に表示し、
調整値が入力された場合に、第２の表示部上で、調整値に対応する色を表示する  
ことを特徴とする表示色調整方法。
【請求項７】
第２の表示部上で表示されている調整値を規定する調整項目が第３の表示部に、さらに表示されることを特徴とする請求項６記載の表示色調整方法。
【請求項８】
調整対象として定義された色を表示可能な基準色表示部と、
前記基準色表示部に表示された定義された色が調整された後の周辺色を表示可能な調整後表示部と、
調整値が入力されるまでは調整対象として定義された色を、調整値が入力された以降は調整された後の周辺色を、映像として表現可能な調整範囲な色の範囲内で２次元のマップ状に表示可能なカラーマップ表示部と、
前記カラーマップ表示部に、調整値が入力されるまでは調整対象として定義された色を、調整値が入力された以降は調整された後の周辺色を、表示するポインターを表示させるポインター表示部と、
前記基準色表示部、前記調整後表示部、前記カラーマップ表示部、および前記ポインター表示部を表示装置に表示可能に、映像信号を出力する第１の映像処理部と、
入力された映像のうちの、前記定義部により定義された第１の色および第１の色の周辺色の少なくとも一方を、調整された後の第２の色および第２の色の周辺色の少なくとも一方に近づけて出力する第２の映像処理部と、
を有することを特徴とする映像表示装置。
【請求項９】
前記ポインターが移動される調整値を設定する調整項目を表示するスケールを表示させるスケール表示部をさらに有することを特徴とする請求項８記載の映像表示装置。
【請求項１０】
前記ポインターが移動されることにより変化する対象となる調整項目の変化の程度を前記ポインターの移動に関連付けて表示する調整バーを表示させる調整バー表示部をさらに有することを特徴とする請求項８記載の映像表示装置。
【請求項１１】
前記第１の映像処理部は、色あい、色の濃さ、明るさの少なくとも１つを調整可能であることを特徴とする請求項８記載の映像表示装置。
【請求項１２】
前記第１の映像処理部により出力される表示は、前記調整対象として定義される色が現在表示されている画面上に重ね合わせて表示されることを特徴とする請求項８ないし１１のいずれかに記載の映像表示装置。
【発明の詳細な説明】
【技術分野】
【０００１】
この発明は、映像情報を表示可能な、例えばテレビジョン受像機において、映像の表示に適した範囲で任意の色を調整可能とする表示色調整方法、ならびにその調整方法が適用される映像表示装置および番組表表示方法に関する。
【背景技術】
【０００２】
映像を表示可能なテレビジョン受像機や、パーソナルコンピュータ向けのカラー画像を表示可能な表示装置等が広く普及している。また、例えばゲーム機等も、表示装置を一体に含むことはいうまでもない。
【０００３】
なお、表示装置の殆どは、ユーザにより、基準となる任意の色を、異なる色に調整可能である。
【０００４】
特許文献１には、基準色を、他の特定の色（変更後基準色）に変更することができ、しかも指定された基準色以外の色も、変更された基準色と基準色との差に応じて変更されるカラー画像調整装置が提案されている。
【特許文献１】特開平９−２５８７０６号公報
【発明の開示】
【発明が解決しようとする課題】
【０００５】
しかしながら、特許文献１に示されたカラー画像調整装置においては、調整後の色がどのようになるかは調整してみないとわからず、調整が難しい問題がある。このため、調整を複数回繰り返えすことが要求される場合が多く、調整に必要な時間が増大する問題がある。
【０００６】
本発明の目的は、映像情報を表示可能なテレビジョン受像機や表示装置において、映像の表示に適した範囲で、画像破綻することなく任意の色を調整可能とする表示色調整方法ならびにその調整方法が適用される映像表示装置および映像処理装置を提供することである。
【課題を解決するための手段】
【０００７】
この発明は、上記問題点に基づきなされたもので、
任意の第１の色を調整対象として定義する定義部と、
前記定義部により定義した前記第１の色を変更可能な前記第１の色の周辺の色である周辺色を有するカラーマップを生成するカラーマップ生成表示部と、
前記カラーマップ上に存在する、前記定義部により定義された第１の色が変更される第２の色を示すポインターを表示するポインター表示部と、
前記ポインターを任意の方向に移動させるための指示部と、
前記カラーマップ生成部により生成されたカラーマップおよび前記ポインター生成、表示可能な映像信号を出力する第１の映像処理部と、
入力された映像のうちの、前記定義部により定義された第１の色および第１の色の周辺色の少なくとも一方を、調整された後の第２の色および第２の色の周辺色の少なくとも一方に近づけて出力する第２の映像処理部と、
を有することを特長とする映像処理装置を提供するものである。
【発明の効果】
【０００８】
以上のように、本発明の映像処理装置、映像表示装置および表示色調整方法においては、変更が指示された基準色の変更後の周辺色を、予め決められた画面破綻のない範囲内の色のみを表示可能に設定された２次元カラーマップとして表示することにより、基準色をどの範囲まで調整できるかを表示画面上で確認できる。
【０００９】
また、調整方法としては、調整したい色部分にカラーカーソルが一致されるように調整項目を選び、値を変更する（調整値を設定する）ことにより、ユーザがイメージする色を簡単に設定可能である。
【００１０】
さらに、カラーカーソルの移動方向は、選択されている調整項目の「プラス」，「マイナス」で、カラーマップ上の移動方向に対応して表示されるので、カラーカーソルの上下左右の動きがどの調整項目に対応するかが容易に確認できるため、調整に必要となる時間が低減される。
【発明を実施するための最良の形態】
【００１１】
以下、図面を参照して、この発明の実施の形態について詳細に説明する。
【００１２】
図１は、映像表示装置、例えば公衆向け放送を受信可能なテレビ受信装置を、概略的に示すブロック図である。
【００１３】
テレビジョン放送受信装置１１は、例えばＳＥＤ（Surface-conduction Electron-emitter Display）表示パネル，液晶表示パネル等でなる平面パネル型の映像表示器１４、スピーカ１５、操作部１６、リモートコントローラ１７から送信される操作情報（入力信号）を受ける受光部１８等を、有する。また、放送受信装置１１は、上記各ユニットの動作や表示もしくはオーディオ出力を、制御部（制御ブロック，メインボードと呼ばれることもある）６０により、統括的に制御されている。制御部６０は、ＣＰＵ（Central Processing Unit）６１に代表される主制御ＩＣを内蔵し、操作部１６からの操作情報（入力）、またはリモートコントローラ１７から送出された操作情報を受光部１８により受信した（リモコン入力）制御信号に対応する操作内容が反映されるように、各部をそれぞれ制御している。制御部６０はまた、例えばＣＰＵ６１が実行する制御プログラムを保持したＲＯＭ（Read Only Memory）６２、ＣＰＵ６１に作業エリアを提供するＲＡＭ（Ramdom Access Memory）６３、及び各種の設定情報及び制御情報等が格納される不揮発性メモリ（Non Volatility Memory）６４を、含む。なお、放送受信装置１１は、制御部６０に接続された時計（タイマコントローラ）８０を有し、時刻管理や、ユーザからの入力により設定される録画予約が設定可能である。
【００１４】
制御部６０には、例えばＲＯＭ６２に予め格納されているアプリケーションプログラムを動作させるカラーパレット制御部としての機能が分担されている（本実施形態のカラー調整を実行するために、ＣＰＵ６１のファームウエアとしてカラーパレット制御部が規定されている）。カラーパレット制御部は、後段に説明するが、映像処理部５８により映像表示部１４あるいは外部映像出力１９に出力される映像信号に、以下に説明する色調整により調整（変更）された色と調整（変更）前の色とを、図３ないし図５により後段で説明する「カラー調整ウインドウ」に表示させることができる。なお、ＲＯＭ６２には、図２を用いて以下に説明する表示色調整プログラム（アプリケーション）が格納されている。
【００１５】
以下、デジタルテレビジョン放送受信装置１１の主要な信号処理系について説明する。
【００１６】
ＢＳ／ＣＳデジタル放送受信用のアンテナ４２で受信した衛星デジタルテレビジョン放送信号は、入力端子４３を介して衛星デジタル放送用のチューナ４４に供給される。
【００１７】
チューナ４４は、制御部６０からの制御信号により所望のチャンネルの放送信号を選局し、この選局された放送信号をＰＳＫ（Phase Shift Keying）復調器４５に出力する。
【００１８】
ＰＳＫ復調器４５は、制御部６０からの制御信号に基づき、チューナ４４で選局された放送信号を復調して、所望の番組を含んだトランスポートストリームを得て、ＴＳ復号器４６に出力する。
【００１９】
ＴＳ復号器４６は、制御部６０からの制御信号により、トランスポートストリーム（ＴＳ）多重化された信号のＴＳ復号処理を行い、所望の番組のデジタル映像信号及び音声信号を信号処理部４７に出力し、デジタル放送により送られている番組を取得するための各種データ（サービス情報），電子番組ガイド（ＥＰＧ）情報，番組属性情報（番組ジャンル等），字幕情報等を制御部６０へ出力する。
【００２０】
また、地上波放送受信用のアンテナ４８で受信した地上デジタルテレビジョン放送信号は、入力端子４９を介して地上デジタル放送用のチューナ５０に供給される。
【００２１】
チューナ５０は、制御部６０からの制御信号により所望のチャンネルの放送信号を選局し、この選局された放送信号をＯＦＤＭ（Orthogonal Frequency Division Multiplexing）復調器５１に出力する。
【００２２】
ＯＦＤＭ復調器５１は、制御部６０からの制御信号により、チューナ５０で選局された放送信号を復調して、所望の番組を含んだトランスポートストリームを得て、ＴＳ復号器５６に出力する。
【００２３】
ＴＳ復号器５６は、制御部６０の制御の下で、トランスポートストリーム（ＴＳ）多重化された信号のＴＳ復号処理を行い、所望の番組のデジタル映像信号及び音声信号を信号処理部４７に出力し、デジタル放送により送られている番組を取得するための各種データや電子番組ガイド（ＥＰＧ）情報，番組属性情報（番組ジャンル等）等を制御部６０へ出力する。
【００２４】
地上波放送受信用のアンテナ４８で受信した地上アナログテレビジョン放送信号は、入力端子４９を介して地上アナログ放送用のチューナ５２に供給されることにより、所望のチャンネルの放送信号が選局される。チューナ５２で選局された放送信号は、アナログ復調器５３によりアナログの映像信号及び音声信号に復調された後、信号処理部４７に出力される。
【００２５】
信号処理部４７は、ＰＳＫ復調器４５及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００２６】
信号処理部４７にはまた、複数（図示の場合は４つ）の入力端子４０ａ，４０ｂ，４０ｃ，４０ｄが接続されている。これら入力端子４０ａ〜４０ｄは、それぞれ、アナログの映像信号及び音声信号を、放送受信装置１１の外部から入力可能とするものである。
【００２７】
信号処理部４７は、アナログ復調器５３及び各入力端子４０ａ〜４０ｄから、それぞれ供給されたアナログの映像信号及び音声信号を選択的にデジタル化し、このデジタル化された映像信号及び音声信号に対して所定のデジタル信号処理を施した後、グラフィック処理部５４及び音声処理部５５に出力する。
【００２８】
グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００２９】
なお、ＯＳＤ信号生成部５７により出力される出力ＯＳＤ信号は、αブレンディングのパラメータが設定されることで、通常の映像表示上に、「半透明」状態で（通常の映像信号の一部を透過可能に）重ね合わせて出力させることもできる。本実施の形態においても、図３ないし図５に示す「カラー調整ウインドウ」の外枠部分（もしくは「カラーマップ」以外の部分）は、「半透明」で表示されても良いことはいうまでもない。
【００３０】
グラフィック処理部５４はまた、放送信号が字幕信号を伴い、字幕が表示可能である場合は、制御部６０からの制御信号および字幕情報に基づき、映像信号上に字幕情報を重畳する処理を行う。
【００３１】
グラフィック処理部５４から出力されたデジタルの映像信号は、映像処理部５８に供給される。映像処理部５８は、入力されたデジタルの映像信号を、映像表示器（表示装置）１４で表示可能なフォーマットのアナログ映像信号に変換した後、映像表示器１４に出力して映像表示させるとともに、出力端子１９に接続される外部装置（ＤＶＤレコーダ等）に出力可能である。
【００３２】
音声処理部５５は、入力されたデジタルの音声信号を、スピーカ１５で再生可能なフォーマットのアナログ音声信号に変換した後、スピーカ１５に出力して音声再生させるとともに、出力端子２０に接続される外部装置（ヘッドホン装置等）に出力可能である。
【００３３】
図２は、図１に示したテレビジョン受像機におけるカラー調整の流れを説明するフローチャートである。なお、図１に示したテレビジョン受像機の映像表示部１４もしくは外部出力１９に出力される映像出力すなわち「カラー調整ウインドウ」については、図３ないし図５を参照して、その都度説明する。
【００３４】
詳述しないがリモートコントローラ１７により、カラー調整モードの実行（カラー調整開始）が指示されると、ＲＯＭ６２に保持されているプログラムに従って、基準色とその基準色を（画像破綻させることなく）調整可能な基準色調整範囲が、カラーパレット制御部により取得され、映像表示部１４に表示されている画像の所定の範囲に重ねて「カラー調整ウインドウ」として表示される（または外部出力１９に、「カラー調整ウインドウ」を含む映像信号が出力される）。
【００３５】
「カラー調整ウインドウ」１０１は、図３に示すように、例えばユーザが指定する「ｎ番目」の基準色であることを示す基準色表示部１１１を有し、ユーザにより指定されたｎ番目の色（基準色）であることが表示される。また、調整後表示部１１３には、ユーザにより指定された調整（変更）後の色と調整（変更）前の色が表示される（Ｓ１）。なお、カラー調整モードが起動（開始）された時点で、別ルーチンで調整対象の色を特定する画面が表示され、リモートコントローラ１７の図示しないカーソルキー（またはボタン）の操作により調整対象とすべき色が特定される。これにより、基準色表示部１１１に調整対象となる「色」が取り込まれ、表示される。
【００３６】
調整対象の色が特定されると、「カラー調整ウインドウ」１０１の所定領域に、カラーマップ１１５が表示される（Ｓ２）。
【００３７】
カラーマップ１１５には、ステップＳ１で指定された基準色が変更された色が「カラーカーソル」１１７として表示される（Ｓ３）。なお、「カラー調整ウインドウ」１０１には、調整項目として、『色あい』の変化量を示すスケール１１９ａ、『色の濃さ』の変化量を示すスケール１１９ｂ、『明るさ』の変化量を示すスケール１１９ｃのそれぞれが表示され（Ｓ４）、現在選択されている調整項目がどの項目であるかが、例えばそのスケールの表示色の変更やポジ−ネガ反転等の手法により、表示される。すなわち、選択されている調整項目をユーザが認識可能に、目印（マーカ）が付けられる（Ｓ５，図４参照）。
【００３８】
また、ステップＳ４およびＳ５により特定される調整項目について、調整方向（調整値の増減に応じて色が変化されるカラーマップ上の方向）が、カラーマップの「左右のいずれか」または「上下のいずれか」に、カラーカーソルの位置が変化されることに対応して変化されるバーグラフ（調整バー、もしくはスケール）１２１，１２３の両端部の「＋」または「−」の点滅あるいは色の変化もしくはポジ−ネガ反転等の表示により、表示される（Ｓ６，図５参照）。これにより、ユーザは、カラーカーソルをどの方向に移動させることで好みの色が表示可能であるかを、容易に把握できる。
【００３９】
以下、ユーザの指示（リモートコントローラのカーソルの操作）に従って、調整値または調整項目が順に変更され（Ｓ７）、ユーザの望む総ての色が得られた時点で、終了または次の色の調整が可能となる（Ｓ８）。
【００４０】
なお、アプリケーションプログラムは、基準色と基準色の調整範囲を、カラーパレット制御部より取得する。また、基準色を、破綻無く、即ち映像としての目視に耐え難い色が出現しないように調整可能な範囲内で、２次元的に、例えば『色あい』と『色の濃さ』により変化するカラーマップが表示される。
【００４１】
このように、カラーパレット制御部より取得した基準色の変更後の色を、画面破綻なく調整できる範囲で２次元カラーマップとして表示することで、基準色をどの範囲まで調整できるかが画面上で確認でき、調整したい色部分にカラーカーソルが来るように調整項目を選び、値を変更することで、ユーザのイメージする色を任意に設定できる。
【００４２】
なお、調整可能範囲がカラーマップに存在しない場合は、調整すべき基準色を前記カラーマップに存在しない色（周辺色）に近いものに変更することで、前記カラーマップに存在しなかった色に調整できる可能性がある。
【００４３】
また、カラーカーソルの移動方向は、選択されている調整項目の調整バーの上下または左右に表示される「プラス」または「マイナス」等の方向表示により、カラーマップ上の移動方向が表示される。このためカラーカーソルの上下左右の動きがどの調整項目に対応するかが容易に理解でき、調整に要求される時間が低減可能である（調整方向を、すぐに知ることができ、調整しやすい）。
【００４４】
なお、本実施の形態によれば、変更後の基準色（基準色の変更）は、複数のユーザが、独立に設定可能である。
【００４５】
また、それぞれのユーザが、例えば３個の変更後の基準色（基準色の変更）を設定可能である。
【００４６】
さらに、基準色を調整可能な色の範囲を、画像破綻の無い、すなわち映像としての目視に耐え難い色が出現しないように調整可能な範囲内で管理することにより、例えば基準色が変更されたことにより、それ以外の色も、基準色との差に従って変更される場合に比較して、安定なカラーバランスを維持した色調整が可能である。もちろん、本提案の色調整は、ピンポイントであり、調整された基準色の周辺の色には反映されない。しかしながら、からならずしもピンポイントの調整である必要はなく、指定された基準色の周辺の色も、任意に変更可能である。
【００４７】
なお、本実施形態では、基準色を変更するためのパラメータとして、『明るさ』も変更可能としたことにより、ユーザの好む色を、一層、容易に再現（調整）可能である。
【００４８】
このように本実施形態では、変更が指示された基準色の変更後の色を、予め決められた画面破綻のない範囲内の色のみを表示可能に設定された２次元カラーマップとして表示することにより、基準色をどの範囲まで調整できるかを表示画面上で確認できる。
【００４９】
また、調整方法としては、調整したい色部分にカラーカーソルが一致されるように調整項目を選び、値を変更する（調整値を設定する）ことにより、ユーザがイメージする色を簡単に設定可能である。
【００５０】
さらに、カラーカーソルの移動方向は、選択されている調整項目の「プラス」，「マイナス」で、カラーマップ上の移動方向に対応して表示されるので、カラーカーソルの上下左右の動きがどの調整項目に対応するかが容易に確認できるため、調整に必要となる時間が低減される。
【００５１】
また、本明細書中の映像とは、動画像および音声による通常のテレビジョン放送による番組の他、静止画像でもよい。また、映像は、必ずしも公衆向け放送によって提供されるものに限らず、例えばインターネットや専用線を介して供給され、あるいはカメラにより撮影されたものであってもよい。
【００５２】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００５３】
【図１】この発明の実施形態が適用されるテレビジョン受像機（映像表示装置）の一例を示す概略ブロック図。
【図２】図１に示したテレビジョン受像機の映像表示部（または表示装置）を用いて基準色を変更（調整）する手順の一例を説明するフローチャート。
【図３】図１に示したテレビジョン受像機の映像表示部（または表示装置）に表示されるカラー調整ウインドウの表示例の一例を示す概略図。
【図４】図１に示したテレビジョン受像機の映像表示部（または表示装置）に表示されるカラー調整ウインドウの表示例の一例を示す概略図（選択されている調整項目への目印（マーカ）の例）。
【図５】図１に示したテレビジョン受像機の映像表示部（または表示装置）に表示されるカラー調整ウインドウの表示例の一例を示す概略図（調整方向（調整値の増減に応じて色が変化されるカラーマップ上の方向）の表示例）。
【符号の説明】
【００５４】
１１…テレビジョン放送受信装置（放送受信装置）、１４…映像表示部、５８…映像処理部、６０…制御部（カラーパレット制御部）。
【図１】
2007067977.tif 000003
【図２】
2007067977.tif 000004
【図３】
2007067977.tif 000005
【図４】
2007067977.tif 000006
【図５】
2007067977.tif 000007